(57)【要約】シリンジインターフェース又はアダプタ(700)は、第１保持部材(730)を含んでおり、該第１保持部材は、シリンジインターフェースがインジェクターに取り付けられるときに、インジェクターピストンの軸線(Ａ'')と通常垂直で該軸線から変位している軸線Ａ’を中心として枢動する。第１保持部材(720)は、シリンジフランジ(220)の一部を係合するために後方に枢動される。シリンジインターフェースは、さらに、第２保持部材を含んでおり、該第２保持部材は、シリンジインターフェースがインジェクターに取り付けられてシリンジフランジの一部を係合するとき、ピストンの軸とほぼ垂直な方向にスライドするように、シリンジインターフェースの通路内に摺動可能に配置されている。第１保持部材及び第２保持部材は、協働して、シリンジフランジをシリンジフランジの外周全体に沿って係合することが望ましい。第１保持部材は、開位置に向かって偏倚されることが望ましい。シリンジインターフェースは、さらに、シリンジインターフェースをインジェクターに取り付けるための取付機構を具えた後部を含むことができる。【選択図】図７Ａ
2005504556.tif 000002
【特許請求の範囲】
【請求項１】
フランジを具えているシリンジを、ピストンを具えているインジェクターに取外し可能に取り付けるためのシリンジインターフェースであって、該シリンジインターフェースは、
通路を規定するハウジング、及び
通路内部に移動可能に設けられ、ピストンの軸とほぼ垂直な方向に移動して、シリンジフランジの少なくとも一部にて係合するように動作する保持部材、
を含んでいるシリンジインターフェース。
【請求項２】
ハウジングは、取付機構を具えている後部をさらに含んでおり、該取付機構は、シリンジインターフェースをインジェクターに取り付けるように作られている、請求項１のシリンジインターフェース。
【請求項３】
取付機構は、１又はそれ以上の装着フランジを具えている、請求項２のシリンジインターフェース。
【請求項４】
取付機構は、少なくとも１つの突き出た突起をさらに具えている、請求項３のシリンジインターフェース。
【請求項５】
ハウジングは、シリンジに関する情報をインジェクターに提供するために動作する、１又はそれ以上のインジケータをさらに具えている、請求項１のシリンジインターフェース。
【請求項６】
ハウジングと連動する第２保持部材であって、該第２保持部材は、シリンジフランジの一部を係合するために、ピストンの軸とほぼ垂直で該軸から偏位している軸線を中心として枢動するように動作する、請求項１のシリンジインターフェース。
【請求項７】
第２保持部材は後ろ方向に枢動する、請求項６のシリンジインターフェース。
【請求項８】
保持部材及び第２保持部材は、協働して、シリンジフランジをその外周全体に沿って係合する、請求項６のシリンジインターフェース。
【請求項９】
第２保持部材は開位置に向かって付勢される、請求項６のシリンジインターフェース。
【請求項１０】
第２保持部材と連動し、ピストンの軸とほぼ垂直で該軸から偏位している軸線を中心として、第２保持部材を枢動させるように動作する接触部材をさらに具えている、請求項６のシリンジインターフェース。
【請求項１１】
保持部材は、シリンジフランジの少なくとも一部を係合するように動作するほぼＵ字型の当て部材を具えている、請求項１のシリンジインターフェース。
【請求項１２】
請求項１乃至１１の何れかのシリンジインターフェースを具えているインジェクター。
【請求項１３】
フランジを具えているシリンジを請求項１乃至１１の何れかのシリンジインターフェースに取り付ける方法であって、
シリンジフランジをシリンジインターフェースのハウジングの中に挿入すること、及び
保持部材を、ピストンの軸とほぼ垂直な方向に移動させ、シリンジフランジの少なくとも一部を係合すること、
を含んでいる方法。
【請求項１４】
インジェクターピストンの軸とほぼ垂直で該軸から偏位している軸線を中心として、第２保持部材を枢動させ、シリンジフランジの一部を係合すること、
をさらに含んでいる、請求項１３の方法。
【請求項１５】
シリンジを回転させ、シリンジのプランジャをインジェクターピストンに取り付けること、
をさらに含んでいる請求項１３の方法。
【請求項１６】
フランジを具えているシリンジを、ピストンを具えているインジェクターに取外し可能に取り付けるためのシリンジインターフェースであって、該シリンジインターフェースは、
後部、
後部に対して相対的に回転可能な前部、及び
ピストンの軸とほぼ平行な方向に、シリンジインターフェースに摺動可能に連結されていて、シリンジを係合するように作られた着座部材を具えているキャリッジ、
を含んでいるシリンジインターフェース。
【請求項１７】
後部は、シリンジインターフェースをインジェクターに取り付けるように動作する取付機構を含んでいる、請求項１６のシリンジインターフェース。
【請求項１８】
フランジを具えているシリンジを、ピストンを具えているインジェクターに取外し可能に取り付けるためのシリンジインターフェースであって、該シリンジインターフェースは、
後部、
後部に対して相対的に回転可能な前部、及び
ピストンが通過するシリンジインターフェース内の通路の周りに設けられた複数の係合部材であって、前部の回転は、係合部材の少なくとも一部を、半径方向内向きに移動にさせ、シリンジフランジを係合する係合部材、
を含んでいるシリンジインターフェース。
【請求項１９】
後部は、アダプタをインジェクターに取り付けるように動作する取付機構を含んでいる、請求項１８のシリンジインターフェース。
【請求項２０】
フランジを具えているシリンジを、ピストンを具えているインジェクターに取外し可能に取り付けるためのシリンジインターフェースであって、該シリンジインターフェースは、
シリンジインターフェース内の第１通路内部に摺動可能に配置され、ピストンの軸とほぼ垂直な方向にスライドする第１保持部材、及び
シリンジインターフェース内の第２通路内部に摺動可能に配置され、ピストンの軸とほぼ垂直な方向にスライドする第２保持部材を具えており、第１保持部材は第２保持部材とほぼ対向しており、第１保持部材及び第２保持部材は、シリンジフランジを係合し、シリンジをシリンジインターフェース内部で保持するように作られている第１及び第２保持部材、
を含んでいるシリンジインターフェース。
【請求項２１】
アダプタをインジェクターに取り付けるように動作する取付機構を具えている後部をさらに含んでいる、請求項２０のシリンジインターフェース。
【請求項２２】
第１保持部材及び第２保持部材は、協働して、シリンジフランジをシリンジフランジの外周全体に沿って係合する、請求項２０のシリンジインターフェース。
【請求項２３】
フランジを具えているシリンジを、ピストンを具えているインジェクターに取外し可能に取り付けるためのシリンジインターフェースであって、該シリンジインターフェースは、
ピストンとほぼ平行な方向において、シリンジインターフェースに摺動可能に連結されているキャリッジであって、シリンジの一部を係合するように作られた着座部材を具えているキャリッジ、及び
シリンジインターフェース内の通路内部に摺動可能に配置され、ピストンの軸とほぼ垂直な方向にスライドする保持部材であって、キャリッジは、シリンジインターフェース内部の後方の位置まで摺動可能であり、その位置では、保持部材は、半径方向内向きにスライドでき、シリンジフランジの他の部分を係合し、シリンジをシリンジインターフェース内部で保持する保持部材、
を含んでいるシリンジインターフェース。
【請求項２４】
後部は、アダプタをインジェクターに取り付けるように動作する取付機構をさらに具えている、請求項２３のシリンジインターフェース。
【請求項２５】
キャリッジ及び保持部材は、協働して、シリンジフランジを該シリンジフランジの外周全体に沿って係合する、請求項２３のシリンジインターフェース。
【請求項２６】
フランジを具えているシリンジを、ピストンを具えているインジェクターに取外し可能に取り付けるためのシリンジインターフェースであって、該シリンジインターフェースは、
シリンジインターフェース内の通路内部に摺動可能に配置され、ピストンの軸とほぼ垂直な方向にスライドし、シリンジフランジの少なくとも一部にて係合するように動作する保持部材であって、隣り合った当て部材が、お互いに対して移動可能に取り付けられている複数の当て部材を具えており、保持部材が、シリンジフランジの少なくとも一部と当り部を形成するために、ピストンの軸に向かってスライドするとき、隣り合った当て部材は曲線状の経路に追従する保持部材、
を含んでいるシリンジインターフェース。
【請求項２７】
後部は、アダプタをインジェクターに取り付けるように動作する取付機構をさらに具えている、請求項２６のシリンジインターフェース。
【請求項２８】
保持部材は、その一側面に第１の複数の当て部材を具え、その第２側面に第２の複数の当て部材を具えており、第１の複数の当て部材の隣り合った当て部材は、お互いに対して移動可能に取り付けられており、第２の複数の当て部材の隣り合った当て部材は、お互いに対して移動可能に取り付けられており、保持部材が、シリンジフランジの少なくとも一部と当り部を形成するために、ピストンの軸に向かってスライドするとき、第１の複数の当て部材及び第２の複数の当て部材の隣り合った当て部材は、曲線状の経路に追従する、請求項２６のシリンジインターフェース。
【請求項２９】
インジェクターの前部にある装着機構、
装着機構を通じて往復移動可能であるピストン、及び
フランジを具えているシリンジをアダプタに取り付けるように動作するアダプタ、
を含んでいるインジェクターであって、
該アダプタは、
アダプタをインジェクターの装着機構に取り付けるように作られている取付機構を具えている後部、
アダプタがインジェクターに取り付けられるとき、ピストンの軸とほぼ垂直で該軸から偏位している軸線を中心として枢動し、シリンジフランジの一部を係合するために、後ろ方向に枢動する第１保持部材、及び
アダプタ内の通路内部に摺動可能に配置されており、アダプタがインジェクターに取り付けられ、シリンジフランジの一部が係合されるとき、ピストンの軸とほぼ垂直な方向にスライドする第２保持部材、
を含んでいる、インジェクター。
【発明の詳細な説明】
【技術分野】
【０００１】
発明の背景
本発明は、一般的に、シリンジインターフェース及びシリンジアダプタに関するものである。より具体的には、医療用インジェクターに使用するためのシリンジインターフェース及びシリンジアダプタと、そのようなシリンジインターフェース及びアダプタを使用するインジェクターシステムに関する。
【背景技術】
【０００２】
血管造影法、コンピュータ断層撮影法、超音波検査、及びＮＭＲ／ＭＲＩのような、医療処置に使用するためインジェクターに駆動されるシリンジ及び動力式インジェクターが開発されてきた。例えば、米国特許第４,００６,７３６号は、人間又は動物の脈管系に流体を注入するためのインジェクター及びシリンジを開示している。一般的に、そのようなインジェクターは、シリンジプランジャに連結するピストンのような駆動部材を具えている。例えば、米国特許第４,６７７,９８０号は、インジェクターの駆動部材は、取外し可能な機構を通じて、プランジャの移動経路に沿った任意の地点にて、シリンジプランジャに連結される又はそれから取り外されることができる血管造影用インジェクター及びシリンジを開示しており、該特許の開示内容は、引用を以て本願に組み入れられる。フロントローディング式シリンジ及びインジェクターシステムは、米国特許第５,３８３,８５８号にも開示されており、該特許の開示内容は、引用を以て本願に組み入れられる。
【０００３】
米国特許第５,３８３,８５８号のフロントローディング式インジェクターは、インジェクターの前壁にシリンジを固定するための装着機構を含んでいる。フロントローディング式シリンジのための他の種類の装着機構は、本発明の譲受人に譲渡された、ＰＣＴ公報第ＷＯ０１／３７９０３号及び米国特許出願公報第２００１−４７１５３号に開示されており、その開示内容は、引用を以て本願に組み入れられる。特別に設計された装着機構は通常、他の様々な種類のシリンジをフロントローディング式インジェクターに使用するのを妨げる。そのようなシリンジをフロントローディング式インジェクターに使用するのを可能にするために、それらのフロントローディング式インジェクターに取付け可能なシリンジアダプタが使われることがある。
【０００４】
例えば、米国特許第５,５２０,６５３号は、様々なシリンジをフロントローディング式インジェクターに使用するのを可能にするように作られている、幾つかのアダプタを開示している。一実施例において、米国特許第５,５２０,６５３号のアダプタは、シリンジフランジの少なくとも一部を係合するために、前端部と、後端部と、及びキャリヤの前後端部間に配備されたシリンジ保持用溝とを有するシリンジキャリヤを含み、シリンジフランジの少なくとも一部分と係合する。キャリヤの後方端部の近くに設けた装着用フランジは、インジェクター前壁の望ましい位置に、キャリヤを取外し可能に装着する。同様に、日本特許公報第０９−１２２２３４号は、様々なシリンジをフロントローディング式インジェクターに使用するのを可能にする他のアダプタを開示している。このアダプタでは、一対の挟み要素(pinching elements)が回転して、後部のシリンジフランジを含むシリンジの一部に接触し、シリンジはアダプタに保持される。
【０００５】
現在、多くのシリンジインターフェース及びアダプタが入手可能であるが、様々な種類のシリンジと共に使用するための改良型インターフェース及びアダプタを開発し、そのようなシリンジを医療用又はその他のインジェクターに使用するのを可能にすることは、依然として要請されている。
【発明の開示】
【発明が解決しようとする課題】
【０００６】
発明の要旨
一般的に、本発明は、シリンジを緩め又は取外し可能にインジェクターに取り付けるためのシリンジインターフェースを提供する。本発明のシリンジインターフェース又は保持部材は、インジェクターに永久に取り付けられることができる、又は取付機構を介して、インジェクター(例えば、インジェクターの様々な種類のシリンジインターフェース)に着脱可能に取り付けられることができる。本発明のシリンジインターフェースがインジェクターに取付け可能である場合、シリンジインターフェースは、これが無ければインジェクターに取り付け出来なかったシリンジを、インジェクターに取り付けるためのアダプタとして使用できる。
【０００７】
ある場合には、本発明は、後方端部にフランジを有するシリンジを、往復移動する駆動部材又はピストンを有するフロントローディング式インジェクターに、取外し可能に取り付けるためのシリンジインターフェースを提供する。該シリンジインターフェースは、シリンジインターフェース内の通路内部に摺動可能に配置された保持部材を含んでおり、ピストンの方向又は軸とほぼ垂直な方向にスライドし、シリンジフランジと係合して、シリンジをシリンジインターフェース内部に保持する。該シリンジインターフェースは、取付機構を具えた後部分を有し、(例えば、該取付機構によって、インジェクター上の別の種類のシリンジインターフェースを介して、)シリンジをインジェクターに取り付けることもできる。
【０００８】
別の場合には、本発明は、インジェクターピストンの方向とほぼ平行な方向に、シリンジインターフェースへ摺動可能に連結されたキャリッジを有する、シリンジインターフェースを提供する。該キャリッジは、シリンジフランジを係合するための着座部材(seating member)を含んでいる。シリンジインターフェースの前部(forward portion)は、シリンジインターフェースの後部に対し相対的に回転可能である。該前部は、キャリッジがシリンジインターフェース内部で後方の位置へスライドさせられたとき、前部を回すことによりキャリッジと係合するように作られている。シリンジインターフェースは、アダプタをインジェクターに取り付けるための取付機構を具えた後部を有することもできる。
【０００９】
別の場合には、本発明は、インジェクターピストンが通過するシリンジインターフェース内の通路の周りに設けられた複数の係合部材を有する、シリンジインターフェースを提供する。該シリンジインターフェースは、シリンジインターフェースの後部に対し相対的に回転可能な前部も含んでいる。前部の回転により、係合部材の少なくとも一部を半径方向内向きに動かし、シリンジフランジを係合する。シリンジインターフェースは、シリンジインターフェースをインジェクターに取り付けるための取付機構を有する後部を含むこともできる。
【００１０】
また別の場合には、本発明は、シリンジインターフェース内の第１通路内部にて摺動可能に配置され、インジェクターピストンの方向又は軸に対しほぼ垂直な方向にスライドする第１保持部材を有するシリンジインターフェースを提供する。該シリンジインターフェースは、シリンジインターフェース内の第２通路内部にて摺動可能に配置され、ピストンの方向又は軸とほぼ垂直な方向にスライドする第２保持部材をさらに有する。第１保持部材の向きは、通常、第２保持部材の向きに対向している。第１保持部材及び第２保持部材は、各々が半径方向内向きの閉位置へスライドされるとき、シリンジフランジを係合し、シリンジをアダプタ内部に保持するように作られている。望ましくは、第１保持部材と第２保持部材とによって、シリンジフランジを、シリンジフランジの外周全体に沿って係合する。シリンジインターフェースは、シリンジインターフェースをインジェクターに取り付けるための取付機構を具えた後部を有することもできる。
【００１１】
更に別の場合には、本発明は、ピストンの方向又はピストンの軸とほぼ平行な方向に、シリンジインターフェースに摺動可能に連結されたキャリッジを含んでいる、シリンジインターフェースを提供する。該キャリッジは、シリンジの一部を係合するための着座部材を含んでいる。シリンジインターフェースは、シリンジインターフェースがインジェクターに取り付けられるとき、ピストンの方向又はピストンの軸とほぼ垂直な方向にスライドするために、シリンジインターフェース内の通路内部に摺動可能に位置付けられた保持部材をさらに含んでいる。キャリッジは、シリンジインターフェース内部の後方の位置に摺動可能であって、その位置において、保持部材は、シリンジフランジを、シリンジフランジの外周全体に沿って係合するために、半径方向内向きにスライドされることができる。望ましくは、キャリッジ及び保持部材は、協働して、シリンジフランジを、シリンジフランジの外周全体に沿って係合する。シリンジインターフェースは、シリンジインターフェースをインジェクターに取り付けるための取付機構を含んでいる後部を、さらに有することもできる。
【００１２】
さらなる側面において、本発明は、シリンジインターフェースがインジェクターに取り付けられるときに、ピストンの軸から通常変位しており該軸と垂直な軸を中心として枢動する第１保持部材を含んでいる、シリンジインターフェースを提供する。第１保持部材は、後ろ方向に枢動してシリンジフランジの一部を係合する。シリンジインターフェースは、ピストンの軸とほぼ垂直な方向にスライドするために、シリンジインターフェース内の第２通路内部に摺動可能に位置付けられた第２保持部材をさらに含んでおり、シリンジフランジの一部を係合する。第１保持部材及び第２保持部材は、協働して、シリンジフランジをシリンジフランジの外周全体に沿って係合するのが望ましい。第１保持部材は、開位置に向かって偏倚されることが望ましい。シリンジインターフェースは、シリンジインターフェースをインジェクターに取り付けるための取付機構を含んでいる後部を有することもできる。
【００１３】
さらに別の側面において、本発明は、後方端部にフランジを含んでいるシリンジを、往復移動するピストンを含んでいるフロントローディング式インジェクターに、取外し可能に取り付けるためのシリンジインターフェースを提供する。該シリンジインターフェースは、シリンジインターフェース内の通路内部に摺動可能に位置付けられた保持部材を含んでおり、ピストンの軸とほぼ垂直な方向にスライドして、シリンジフランジの少なくとも一部を係合する。保持部材は、当て部材(abutment members)を含んでおり、ここで、隣り合った当て部材はお互いに対して移動可能に取り付けられている。当て部材は、保持部材が、シリンジフランジの少なくとも一部と当接するようにピストンの軸に向かって(又は半径方向内向きに)スライドされるとき、湾曲した経路に追従する。シリンジインターフェースは、シリンジインターフェースをインジェクターに取り付けるための取付機構を含んでいる後部を有することもできる。
【００１４】
本発明は、また、本発明のシリンジインターフェース及びアダプタを含んでいるインジェクター及びインジェクターシステムと、該シリンジインターフェース及びアダプタにシリンジを取り付ける方法を提供する。
【課題を解決するための手段】
【００１５】
発明の詳細な説明
本発明のフロントローディング式インジェクターシステム(5)の一実施例を、図１に示している。インジェクターシステム(5)は、例えば造影剤の注入のための電動インジェクター(10)及びシリンジ(20)を含んでいる。本発明での使用に適するインジェクター(10)の一例は、ペンシルベニア州インディアノーラのメドラッド社から入手可能なMEDRAD BISTRON CT INJECTOR(登録商標)である。しかしながら、本発明は、磁気共鳴映像法、コンピュータ断層撮影法、超音波検査及び血管造影術のためのインジェクター及び薬物注入ポンプを含む、その他の流体送給システムに関連して使用することができる。図１に最良に示しているように、インジェクター(10)のインジェクターハウジング(30)は、内部に第１駆動部材又はピストン(40)を含んでいることが望ましく、それは、シリンジ(20)の中に摺動自在に設けられたプランジャ(図１には示していない、例として図７Ｃを参照)と一緒に働いて、流体をシリンジ(20)の内部から患者に注入する。
【００１６】
本発明のインジェクションシステム(5)及び他の実施例を説明するためにここで使用するとき、用語「軸方向」又は「軸の方向に」は、概して、例えば、軸Ａと、軸Ａと同一線上又は平行な方向とを意味しており、この軸を中心として、シリンジ(20)及びピストン(40)が望ましく形成されている(その周りに対称である必要はないが)。用語「近接した(proximal)」又は「後方に(rearward)」は、一般に、シリンジ(20)が装着される端部に対向するインジェクタハウジング(30)の端部に向かう軸方向又は長手軸方向を意味している。用語「末端の(distal)」又は「前方に(forward)」は、一般に、(加圧された流体がシリンジ(20)から流出する)シリンジ(20)の先端(26)に向かう軸方向又は長手軸方向を意味している。用語「半径方向」は、一般に、軸Ａのような軸に直角の方向を意味している。
【００１７】
シリンジ(20)は、例えば、米国特許第５,３８３,８５８号に記載のように、インジェクター(10)に取り外し可能に連結されることが望ましく、該特許の開示内容は、言及を以てこれに組み込まれる。それに関して、フロントローディング式インジェクター(10)は、内部に第１開口(62)が形成されている前部又はフェースプレート(60)を含んでいることが望ましい。ピストン(40)は、インジェクター(10)の内部に往復移動可能に装着されており、開口(62)を通って延びることが出来る。ピストン(40)は、シリンジプランジャと連結し易くするためにピストンフランジ又はヘッド(44)を含んでいることが望ましい。フェースプレート(60)は、受入スロット(66a)及び(66b)を含んでおり、これらは、開口(62)の周りで互いに対向するように配置されることが望ましい。受入フランジ(68a)及び(68b)は、望ましくは、受入スロット(66a)と(66b)の間で互いに対向するように配置され、開口(62)の中に内向きに突出している。
【００１８】
シリンジ(20)の後端部は、インジェクター(10)の前壁(60)の望ましい位置に、シリンジ(20)を装着するために、一対の装着フランジ(22a)及び(22b)のような、装着機構を含んでいることが望ましい。フランジ(22b)は、図１に示していないが、フランジ(22a)とほぼ同一であって、フランジ(22a)と対置されている。装着フランジ(22a)及び(22b)は、１又はそれ以上の移動止め(detent(s))、バーコード、突起又はノッチのような、１又はそれ以上のインジケータ(図示せず)を含み、それは、情報、例えば使用されるシリンジ(20)及び注入流体の種類についての情報を、インジェクター(10)に提供するものである。これに対して、インジェクター(10)は、インジケータから情報を読み出すための１又はそれ以上のセンサのような、任意の適した検出機構(図示せず)を含むことが望ましい。
【００１９】
シリンジ(20)をインジェクター(10)に取り付けるには、シリンジ(20)の後端部をインジェクター開口(62)の中に挿入し、装着フランジ(22a)及び(22b)を、夫々受入スロット(66a)及び(66b)に挿入して行う。ピストンフランジ(44)は、(例えば、米国特許第５,３８３,８５８号に記載のように、)シリンジプランジャの後部の把持機構に係合することが望ましい。
【００２０】
一旦、装着フランジ(22a)及び(22b)が夫々受入スロット(66a)及び(66b)に挿入され、ピストン(40)が、プランジャによって受け入れられるべき位置にあるとき、オペレータは、シリンジ(20)を約９０度回して、装着フランジ(22a)及び(22b)が受入フランジ(68a)及び(68b)の背後に移動し、それぞれ受入フランジ(68a)(68b)と係合する。ピストンフランジ(44)は、例えば、プランジャ上のＬ字型の把持部材によって保持される。インジェクター(10)は、シリンジ(20)が９０度以上回転するのを防止するために、例えば、保持スロット(68a)及び(68b)の少なくとも１つから突き出ているストップ機構(図示せず)を含むことができる。例えば、シリンジ(20)及びインジェクター(10)上の協同作用する部材によって、触覚、視覚又は聴覚のフィードバックを、オペレータに提供し、確実な連結が実現したことをオペレータに知らせる。シリンジ(20)を確実にインジェクター(10)に取り付けた後、前方向に前進するピストン(40)は、プランジャに推進力を加えてプランジャをシリンジ(20)内で前進させ、それによって、シリンジ(20)の内容物はシリンジ先端(26)から押し出され、患者への流体経路の中に入る。後ろ方向に移動するピストン(40)は、プランジャをシリンジ(20)の内部で後方に移動させ、それによって、流体をシリンジ(20)の中に引き込む。
【００２１】
図２Ａ乃至２Ｃは、シリンジ(20)をインジェクター(10)に取り付けることについて上記したのと同様な方法で、望ましくはインジェクター(10)に取り付けられることができるシリンジインターフェース／アダプタ(100)の一実施例を示している。それに関して、アダプタ(100)の後方部分又はセクションは、インジェクター(10)の前壁(60)に対してアダプタ(100)を取り付けるために、一対の装着フランジ(102a)及び(102b)(図示していないが、装着フランジ(102a)と対称であって、それとほぼ１８０°反対側に配置されている)のような、装着機構を含んでいることが望ましい。装着フランジ(102a)及び(102b)は、上記の如き移動止め又はノッチのようなインジケータを含むことができ、使用されているアダプタ及び／又はシリンジの種類についての情報をインジェクター(10)に提供する。
【００２２】
アダプタ(100)をインジェクター(10)に取り付けるために、アダプタ(100)の後端部は、装着フランジ(102a)及び(102b)が夫々に受入スロット(66a)及び(66b)に挿入されるように、インジェクター開口(62)の中に挿入される。一旦、装着フランジ(102a)及び(102b)が夫々受入スロット(66a)及び(66b)に入ると、オペレータは、望ましくは、アダプタ(100)をおよそ９０度回転させ、それによって、装着フランジ(102a)及び(102b)は、夫々受入フランジ(68a)及び(68b)の背後に移動し、係合される。上記の如く、ストップ機構(図示せず)は、アダプタ(100)が９０度以上回転するのを防止するために、例えば、保持スロット(68a)及び(68b)の少なくとも１つから突き出ている。この場合も、例えば、アダプタ(100)及びインジェクター(10)上の協同作用する部材によって、触覚、視覚又は聴覚のフィードバックをオペレータに提供し、確実な連結が実現したことをオペレータに知らせる。
【００２３】
例えば、アダプタ(100)は、例えばリヤフランジ(220)を含んでいるシリンジ(200)を、インジェクター(10)に取り付けるために使用されることができる。シリンジ(200)の実施例において、リヤフランジ(220)は、ほぼ円形であって、真っ直ぐ又は平らな対向する側部(222a)及び(222b)を有している。
【００２４】
アダプタ(100)及びシリンジ(200)を確実にインジェクター(10)に取り付けた後、前方向に前進するピストン(40)は、アダプタ(100)内の通路(110)を通じて、シリンジ(20)内部のプランジャ(210)に推進力を加えて、プランジャをシリンジ(20)内で前進させ(例えば図７Ｃを参照)、それによって、シリンジ(200)内の造影剤をシリンジ先端(250)から押し出し、患者の流体経路の中に入れる。
【００２５】
シリンジ(200)をシリンジインターフェース／アダプタ(100)に取り付けることは、図２Ａ乃至２Ｅでさらに詳細に示している。図２Ａに示すように、シリンジ(200)は、最初は、アダプタ(100)内の通路(110)と一直線になっている。シリンジ(200)の側部(222a)及び(222b)は、アダプタ(100)の向きに対して、又はアダプタ(100)内の通路(130)の内部に摺動可能に配置された摺動保持部材(120)の向きに対して、如何なる特別な配置とする必要はないのが望ましく、それによって、取付けが簡単になる。図２Ｂに示すように、シリンジ(200)は、次に、フランジ(220)が当て部材(122a)及び(122b)の後部に位置付けられるまで、後方に移動される。図８Ａ乃至８Ｅに関連して下記で説明するように、シリンジ(200)を後部へ移動させるには、例えば、シリンジ(200)を回転させてシリンジプランジャ(210)をプランジャアダプタ(800)に螺装することによって、シリンジプランジャ(210)をプランジャアダプタ(800)(図８Ｅを参照)に取り付けること、を含むことができる。
【００２６】
一旦、シリンジ(200)が図２Ｂの位置になると、保持部材(120)は、図２Ｃに示すような閉又は固定位置まで、上方又は半径方向内向きにスライドされる。この閉位置において、前方向に前進するピストン(40)は、シリンジフランジ(220)の前面を、(当て部材(122a)及び(122b)を繋いで、ほぼＵ字型の当て部材を保持部材(120)内に形成している)下部の当て部材(122c)の背面に当接と同様に、保持部材(120)の当て部材(122a)及び(122b)の背面に当接させ、それによって、シリンジ(200)をアダプタ(100)内部で保持する。アダプタ(100)は、後部当接面(140)を含んで、シリンジ(200)をアダプタ(100)内部に適切に配置し易くすることもできる。ピストン(40)が後退される場合、シリンジフランジ(220)の裏面は、後部当接面(140)に当たり、シリンジ(200)がアダプタ(100)内部で後方に移動することを防ぐ。
【００２７】
図３Ａ乃至３Ｄは、シリンジ(200)をインジェクター(10)に連結するためのアダプタの他の実施例(300)を示している。アダプタ(300)は、保持キャリッジ(320)が摺動可能に設けられている通路(310)を含んでいる。図３Ａに示すように、シリンジ(200)は、保持キャリッジ(320)と一直線になっているので、フランジ(220)は、保持キャリッジ(320)内のほぼＵ字型の保持部材(322)の上部にある開口と、通常一直線になっている。図３Ｂに示すように、シリンジ(200)は、次に、シリンジフランジ(220)が、保持キャリッジ(320)内に形成された保持部材(322)と後部当接面(140)との間に着座するように、下げられる。シリンジフランジ(220)の側部(222a)及び(222b)は、保持部材(322)の方向に対して、如何なる特別な配置になっていることを、必要としないのが望ましい。実際に、本発明の或る場合には、シリンジフランジ(220)が、例えばシリンジプランジャ(210)がプランジャアダプタ(800)に螺装されるようにするために(例えば図８Ｅを参照)、シリンジフランジ(220)が保持部材(322)内部に着座されるとき、シリンジ(200)は、その軸の周りで、アダプタ(300)に対し相対的に回転可能であることが望ましい。
【００２８】
シリンジ(200)が保持キャリッジ(320)内部に着座した後、保持キャリッジ(320)は、図３Ｃに示すように、アダプタ(300)の通路(310)内部で後方へスライドされる。上記したように、幾つかの実施例において、シリンジ(200)は、そのような後方への移動の間に、シリンジプランジャ(210)をシリンジアダプタ(800)に連結するために回転させることができる。図３Ａ乃至３Ｄの実施例において、キャリッジ(320)は、通路(310)の周りに形成されたキー溝(330)に対応し、それを通り抜けるタブ(326)を含んでいる。一旦、保持キャリッジ(320)がアダプタ(300)内部を後方へスライドされると、アダプタ(300)の前部又は前壁(350)は、図３Ｄ中の矢印で表しているように、(装着フランジ(302a)及び(302b)が連結されている)アダプタ(300)の後部(360)に対し相対的に回転される。フェース部分(350)は、アダプタ(300)の他の部分に対し相対的に回転されたとき、タブ(326)は、アダプタ(300)のフェース部分(350)によって形成されたキャリッジ保持フランジ(354)(例えば図３Ａを参照)の背後に位置するようになる。ピストン(40)が前進されるとき、保持キャリッジ(320)は、タブ(326)の前面がキャリッジ保持フランジ(354)の背面と当接することによって、アダプタ(300)内部で前方にスライドするのが防止される。シリンジ(200)は、シリンジフランジ(220)の前面が、保持部材(322)の後面と当接することによって、アダプタ(300)内部に保持される。
【００２９】
図４Ａ乃至４Ｅは、シリンジ(200)をインジェクター(10)に連結するためのアダプタの他の別の実施例(400)を示している。図４Ａ及び４Ｂに示すように、シリンジ(200)は、最初は、アダプタ(400)内の通路(410)と一直線になっており、次に後方に移動されてアダプタ(400)の中へ入る。アダプタ(400)は、例えば、シリンジ(200)をアダプタ(400)内部に適切に配置し易くするために、後部当接面(430)を含むこともできる。図４Ｂ及び４Ｃに示すように、シリンジ(200)がアダプタ(400)内部に挿入された後(それは、幾つかの実施例においては、先に説明したように、シリンジプランジャ(210)をプランジャアダプタ(800)に回転装着すること、を含むことができる)、アダプタ(400)の前又はフェース部分(450)は、図４Ｄ及び４Ｅに示すように、その後部(460)に対し相対的に回転される。フェース部分(450)の回転によって、係合アーム(470)をアダプタ(400)の中心に向かって内向きに移動させる。
【００３０】
一実施例において、図４Ｆに示すように、アダプタ(400)の前部(450)の回転は、各係合アーム(470)の半径方向外側部分にあるピン又は延長部分(472)を、前部(450)に形成された偏心的に方向付けられた溝(480)に沿って移動させ、それによって、係合アーム(470)の半径方向内向き部分が、アダプタ(400)の中心に向かって内側に移動されて、シリンジフランジ(220)に接触する。係合アーム(470)の背面は、シリンジフランジ(220)の前面に接触して、シリンジ(200)をアダプタ(400)の内部に保持する。図４Ｅに示すように、係合アーム(470)の半径方向内向き部分は、ほぼ円筒形のシリンジ(200)と嵌まり合うように輪郭が付けられることができる。
【００３１】
望ましくは、係合アーム(470)は、係合アーム(470)とフランジ(220)の接触がシリンジ(200)の軸の周りでほぼ対称であるように配置される。シリンジ(200)の軸の周りで、この様に対称的な接触をすることにより、ピストン(40)が前進されるときの、シリンジ(200)における曲げモーメントを低減又は防止する。
【００３２】
本発明の他の実施例のアダプタ(500)は、図５Ａ乃至５Ｃに示している。アダプタ(500)は、その操作はアダプタ(100)と同様である。しかしながら、アダプタ(500)は、ほぼ対向しスライドする２つの保持部材(520a)及び(520b)を含んでいる。図５Ａに示すように、シリンジ(200)は、最初は、アダプタ(500)内の通路(510)と一直線になっている。シリンジフランジ(220)のほぼ平らな側部(222a)及び(222b)は、アダプタ(100)内の通路(530a)及び(530b)の内部に摺動可能に配置された摺動保持部材(520a)及び(520b)の向きに対して、如何なる特別な配置も必要としないのが望ましい。
【００３３】
図５Ｂに示すように、シリンジ(200)は、フランジ(220)が、夫々、摺動保持部材(520a)及び(520b)のＵ字型の当て部材(522a)及び(522b)の後部に位置するまで、後方に移動される。上記の如く、シリンジ(200)の後方への移動は、(例えば、それに対し相対的に回転させることによって)シリンジプランジャ(210)を、プランジャアダプタ(800)に取り付けることを含むことができる。一旦、シリンジ(200)が図５Ｂの位置になると、保持部材(520a)及び(520b)は、図５Ｃに示すような閉又は固定位置まで半径方向内向きにスライドする。この閉位置において、前方向に前進するピストン(40)は、シリンジフランジ(220)の前面を夫々に、保持部材(520a)及び(520b)のＵ字型の当て部材(522a)及び(522b)の背面に当接させ、それによって、シリンジ(200)をアダプタ(500)内部で保持する。アダプタ(500)は、後部当接面(540)を含むこともできる。
【００３４】
上記した、アダプタ(100)及びその他のアダプタの場合とは異なり、アダプタ(500)の２つの摺動保持部材(520a)及び(520b)は、シリンジ(200)のリヤフランジ(220)を完全に係合している又は取り囲んでいる(即ち、Ｕ字型の当て部材(522a)及び(522b)は、フランジ(220)の外周全体に亘って、フランジ(220)の前面に接触している)。その接触は、シリンジ(200)の軸の周りで対称なので、前進するピストン(40)は、アダプタ(400)について上記で説明したように、シリンジ(200)に曲げモーメントを生じない。さらに、アダプタ(500)がシリンジフランジ(220)の外周の周りで完全に接触することは、シリンジフランジ(220)に掛かる力をシリンジフランジ(220)全体に分散させ、フランジ(220)の一部だけが保持又は当て部材によって接触する場合に比べて、シリンジフランジ(220)が歪んだり毀れたりしないで、より大きな力に耐えることを可能としている。さらに、シリンジフランジ(220)との完全な接触は、保持部材の一部分だけがシリンジフランジ(220)と接触するという条件下であれば毀れるかもしれない材料を使って、シリンジ(200)を製造することを可能にする。
【００３５】
図６Ａ乃至６Ｄは、アダプタの別の実施例(600)を示しており、それは、上記の摺動保持部材(520a)と通常同じ様に働く、ほぼＵ字型の当て部材(622)を有する摺動保持部材(620)を含んでいる。アダプタ(600)は、保持キャリッジ(630)を含んでおり、該キャリッジは、案内レール(634)と協働する又は該レール上をスライドする通路(630)を介して(図６Ｃ及び６Ｄを参照)、アダプタ(600)の通路(610)の内部でほぼ軸方向に摺動可能である。末端部材(636)は、案内レール(634)から外れるのを防止する。保持キャリッジ(630)は、(アダプタ(300)の保持又は当て部材(322)と同様な)ほぼＵ字型の当て部材(638)を含んでおり、そこへシリンジフランジ(220)は着座することが望ましい(及び、幾つかの実施例においては、保持部材(322)に関連して上記で説明したように、(その軸の周りで)回転可能に着座される)。
【００３６】
図６Ｂに示すように、シリンジ(200)は、キャリッジ(630)の保持又は当て部材(638)の内部に着座されている。キャリッジ(630)は、次に、図６Ｃに示している位置まで、アダプタ(600)内で後方へスライドされる。この位置において、保持部材(620)の当て部材(622)は、シリンジフランジ(220)と一直線になっているので、保持部材(620)は、図６Ｄに示すように、フランジ(220)を当て部材(622)と係合するために、半径方向内向きにスライドできる。アダプタ(500)の場合と同様に、当て部材(622)及び当て部材(638)は、図６Ｄの閉又は固定位置にあるとき、シリンジフランジ(220)を対称的に及び完全に取り囲んでいる。摺動保持部材(620)及びキャリッジ(630)は、例えば、アダプタを閉位置に固定するために、噛み合うことができる。
【００３７】
図７Ａ乃至７Ｇは、アダプタ(700)の実施例を示しており、それは、上記の摺動保持部材(622)について上記で説明したのと同じ様に働く、ほぼＵ字型の当て部材又は保持部材(722)を有する摺動保持部材(720)を含んでいる。アダプタ(700)は、第２保持部材(730)をさらに含んでおり、それは、シリンジ(200)及びアダプタ(700)の軸線Ａ''から半径方向に偏位し、Ａ''とほぼ垂直に方向付けられた軸線Ａ’を中心として枢動する。
【００３８】
図７Ａに示したように、シリンジ(200)は、アダプタ(700)内の通路(710)と直線になっているのが望ましい。シリンジ(200)は、次に、後方に移動されるから、シリンジフランジ(220)の背面は、図７Ｂ、７Ｃ及び７Ｆに示しているように、第２保持部材(730)の接触部材(732)と接触する。フランジ(220)が接触部材(732)に接触し、そしてシリンジ(200)が後方へさらに移動すること(これは、シリンジ(200)が、上記のように、その軸の周りでプランジャアダプタ(800)に対し相対的に回転することを含み得る)によって、第２保持部材(730)を軸線Ａ'の周りで枢動又は後方に揺動させ、第２保持部材(730)をほぼ垂直に向け、(略軸線Ａ''と垂直)、保持部材(720)と略同一面内とする。アダプタ(700)内部にあるシリンジ(200)の位置は、図７Ｄに示している。
【００３９】
この位置において、第２保持部材(730)の受け面(734)は、フランジ(220)の前面と接触状態になる。この時点で、保持部材(720)は、半径方向内向き(又は図７Ａ乃至７Ｇの方向で下向き)にスライドし、(例えば、インタロッキング延長部材(726)を介して)第２保持部材(730)と噛み合い、シリンジ(200)をアダプタ(700)内に保持する。保持部材(720)及び(730)は、シリンジフランジ(220)を対称的に及び完全に取り囲んでいる。
【００４０】
アダプタ(700)は、ピストン(40)の後退を伴わずに、アダプタ(700)からシリンジ(200)を取り外すことを可能にする。その点において、第１保持部材(720)は、半径方向外向きにスライドすることができ、第２保持部材(730)は、シリンジ(200)を完全に取り外すために枢動することができる。
【００４１】
図７Ｆ及び７Ｇに最も良く図示されているように、保持部材(730)は、例えば、保持部材(730)に取り付けられた又は該部材と作動連結しているバネ付きエクステンションアーム(740)を使用して、開位置へ付勢することができる。この実施例において、保持部材(730)を開放するために、保持部材(720)が上方又は半径方向外向きにスライドさせ、シリンジ(200)が外されるとき、保持部材(730)は、他のシリンジを受け入れるために、開又は受入位置に付勢される。
【００４２】
上記で簡単に説明したように、本発明のシリンジインターフェース及びアダプタを使用して注入処置を施すとき、例えばシリンジプランジャ(210)(例えば図８Ｅを参照)のような、プランジャと連結することが通常は必要である。ピストン(40)を、特定種類のシリンジに用いられるプランジャの形式に合わせ、該プランジャをインジェクター(10)用として適合させて使用するには、図８Ａに示すようなプランジャアダプタ(800)を備え付けることが必要であることが多い。図８Ａ乃至８Ｅは、インジェクター(10)、(プランジャ(210)を含む)シリンジ(200)及び(図７Ａ乃至７Ｇに関連して説明したような)シリンジアダプタ(700)と共に使用する、プランジャアダプタ(800)を示している。図８Ａ及び８Ｂに最良に示すように、ピストン(40)は、ピストンフランジ(44)にフランジ付き延長部分(46)を含んでいる。プランジャアダプタ(800)は、例えば図８Ｃに示すように、プランジャアダプタ(800)をピストン(400)に取り付けるために、フランジ付き延長部分(46)を中に受け入れるように作られたスロット(810)を含んでいる。フランジ付き延長部分(46)は、プランジャアダプタ(800)とピストン(40)との間に確実な連結を形成することを助けるために、スロット(810)内で付勢された係止機構(例えば、バネ負荷ボール(820))と協働する凹部(48)を含むこともできる。
【００４３】
図８Ｄは、シリンジアダプタ(700)及びプランジャアダプタ(800)が取り付けられたインジェクター(10)を示している。プランジャアダプタ(800)は、その前端部に、プランジャ(210)の後部にある把持部材(212)と連結するための取付機構(830)を含んでいる(図７Ｃ及び８Ｅを参照)。図８Ａ乃至８Ｅの実施例において、プランジャ取付機構(830)は、プランジャ把持部材(212)の内部の嵌め合い螺溝と協働する螺条(832)を含んでいる。
【００４４】
シリンジ(200)の取付けは、通常、上記で説明したように行われる。しかしながら、さらに、シリンジフランジ(220)が第２保持部材(730)の接触部材(732)と接触するので、ねじ付きプランジャ取付機構(830)も、ねじ付きプランジャ把持部材(212)と接触するようになることが望ましい。この時点で、ユーザは、シリンジ(200)をその軸の周りで回転させることができるので、取付機構(830)及び把持部材(212)は確実な結合をなす。シリンジ(200)を回転すると、取付機構(830)が把持部材(212)に螺装されるので、シリンジ(200)を後方へ移動させる。ピストン(40)及びプランジャアダプタ(800)は、望ましくは、(例えば、インジェクター(10)の適当な位置決め構造を使用して)適切に位置付けられ、シリンジアダプタ(700)、取付機構(830)及び把持部材(212)は、望ましくは適切な寸法に形成されていて、プランジャ取付機構(830)及び把持部材(212)が完全に連結されるとき、シリンジ(220)は図７Ｄ及び７Ｅの位置へ後方に移動している。今度の場合も、第２保持部材(730)は、ほぼ垂直な位置まで枢動される。この位置において、保持部材(720)は、シリンジ(200)をアダプタ(700)内部に固定するために、閉位置まで、半径方向内向きにスライドされることができる。プランジャアダプタ(800)は、上記で説明したその他のシリンジアダプタと共に使用することにも適している。
【００４５】
当該分野の専門家には明らかであるように、本発明のシリンジインターフェース及びアダプタは、単にシリンジアダプタの後方取付機構に変更を加えるだけで、再構成され、広範囲に亘るフロントローディング式インジェクターに取り付けられることができる。その点については、図９Ａは、アダプタの別の実施例(700')を示しており、それは、アダプタ(700')が、図９Ｂ及び９Ｃに示しているインジェクタシリンジインターフェース／取外し機構(4010)に取り付けられている態様以外は、シリンジアダプタ(700)と操作が同様である。
【００４６】
取外し機構(4010)は、シリンジアダプタ(700')のインジェクター(4014)への連結を容易にする要素を少なくとも２つ含んでいる、コネクタハウジング(4024)を含んでいる。第１要素は、取外し機構(4010)の内部で前端部(4020)の近くに設けられた可撓性リング(4026)である。第２要素は、取外し機構(4010)の内部で後端部(4016)の近くに設けられた回転リング(4028)である。可撓性リング(4026)及び回転リング(4028)は、下記で今まで以上に詳しく説明するように、お互いに協働するように作られており、シリンジアダプタ(700')(及び、結果的に、シリンジ(200))を、取外し機構(4010)(及び、結果的に、インジェクター(4014))に連結し且つ取り外す。インジェクター(4014)及び取外し機構(4010)は、ＰＣＴ公報第ＷＯ０１／３７９０３号及び米国特許出願公報第２００１−４７１５３号に詳細に説明されており、その内容は、引用を以て本願に組み入れられる。
【００４７】
図９Ａに示すように、フランジ又はリッジ(764')は、シリンジアダプタ(700')の後端部(760')に向かって、シリンジアダプタ(700')と一体に形成されるのが望ましい。リッジ(764')は、２つの部分即ち傾斜部(766')及び段部(768')を含んでおり、該段部は、周りにシリンジアダプタ(700')が形成されている軸線Ａ'''に対して垂直であることが不可欠である(その軸線を中心として対称である必要はないが)。少なくとも１つ、望ましくは２つ又はそれ以上の延長タブ又は突出部(770')が、シリンジアダプタ(700')の後端部(760')に設けられている。タブ(770')は、下記で説明するように、リング(4028)内に設けられた溝(4052)(例えば図９Ｃを参照)に係合している。その代わりに、当該分野の専門家には明らかであるように、スロット、凹み又はディボット(divots)などは、シリンジアダプタ(700')の後端部(760')に設けられ、協働タブ又は突出部は、回転リング(4028)の内面に設けられることができる。
【００４８】
取外し／連結機構(4010)は、例えば、フロントプレート(4054)及びリヤプレート(4056)を含んでいる。フロントプレート(4054)及びリヤプレート(4056)は、例えば、フッ素重合体(例えば、Tufram(商標)、これは、General Magna Plate Companyによって製造されたフッ素重合体の製品名である)で被覆されたアルミニウムで構成されている。フッ素重合体のコーティングは、改善された摩耗耐性を提供し、また、フロントプレート(4054)及びリヤプレート(4056)の外面に潤滑性を与える。潤滑性が特に好都合であるのは、造影剤がフロントプレート(4054)又はリヤプレート(4056)の外面上で結晶化するとき、その外面がフッ素重合体で被覆されている場合には、薄片になって外面から容易に剥がれ落ちるからである。勿論、任意の適した代替的なコーティング材が、フロントプレート(4054)又はリヤプレート(4056)の外面に使用されてもよい。
【００４９】
当該分野の専門家には明らかであるように、コーティングは、何れかのプレートが適した材料で作られている場合、フロントプレート(4054)又はリヤプレート(4056)に施される必要はない。例えば、フロントプレート(4054)及びリヤプレート(4056)が、高密度プラスチック(例えば、アセチル共重合体)で作られている場合、その材料自体が、アルミニウム上のフッ素重合体コーティングと同様な、造影剤の凝結(caking)に対する抵抗性を提供することができる。
【００５０】
図９Ｃに示すように、フロントプレート(4054)は、それを貫通する孔又は通路(4058)を規定している。縁部(lip)(4060)は、シリンジアダプタ(700')に当接するために、孔(4058)の外周に亘って、フロントプレート(4054)から突き出ている。可撓性リング(4026)は、ほぼ楕円形の部材であって、取外し／連結機構(4010)のフロントプレート(4054)の背後に設けられている。可撓性リング(4026)は、例えば、アセチル共重合体又は任意の他の適した材料から作られることができる。可撓性リング(4026)の何れかの側面には、２つの湾曲部分(4064)に一体的に連結されている線状又は平らな部分(4062)がある。湾曲部分(4064)のおよそ中間点からは、ピン(posts)(4066)が、リヤプレート(4056)に向かって突き出ている。図示の如く、可撓性リング(4026)は、それを貫通する孔又は通路(4068)を規定している。可撓性リング(4026)の前端部には、面取りが設けられていることが望ましい。面取りは、それを介して、シリンジアダプタ(700')の後端部(760')及びリッジ(764')の挿入を容易にする。
【００５１】
図９Ｃに示している実施例において、可撓性リング(4026)から後方に突き出ているピン(4066)には、ベアリング(4070)が設けられている。ベアリング(4070)は、内側及び外側の案内溝(races)を具え、それらの間にローラーベアリングが設けられている複合ベアリング(例えば、金属及びプラスチック)であるのが望ましい。その代わりに、ベアリング(4070)は、ピン(4066)を囲み、それに関連して回転するプラスチック要素であってもよい。ベアリング(4070)は、回転リング(4028)の溝又はカム軌道に係合する。しかしながら、当該分野の専門家には明らかであるように、ベアリングは、取外し／連結機構(4010)の動作には必要とされていない。
【００５２】
回転リング(4028)は、ハウジング(4024)内部で可撓性リング(4026)の後ろに配置されており、上記で説明したように、その前面(4074)に２つの溝又はカム軌道(4072)を含んでいる。カム軌道(4072)は、その外面の直径が、回転リング(4028)の中心に最も近い地点から、リング(4028)の中心から最も遠い地点まで、その円弧に沿って増すように、成形されている。溝(4072)は、ベアリング(4070)を介してピン(4066)に係合しており、シリンジアダプタ(700')が、(例えば、シリンジアダプタ(700')を取外し／連結機構(4010)から取り外すために、)回転リング(4028)と係合したまま回転されるとき、可撓性リング(4026)を引き延ばすために、外力でピン(4066)を矢印(4084)で示されるように引き離す。図示の如く、可撓性リング(4026)は、その中心を貫通する孔(4068)を有しており、その中に又はそれを通して、シリンジアダプタ(700')の後端部(760')を収容している。
【００５３】
回転リング(4028)は、リヤプレート(4056)の前面(4088)に形成された窪み(indentation)又は凹み(4090)の内部に配備されている。リヤプレート(4056)は、シリンジアダプタ(700')の後部(760')を収容するための貫通孔又は通路(4092)を規定している。回転リング(4028)は、窪み(4090)の中に設けられているから、そこでリング(4028)は自由に回転できる。
【００５４】
フロントプレート(4054)の背面(4096)は、可撓性リング(4026)と本質的に同じ形状の窪み又は凹み(4098)を含んでいる。そういう次第なので、窪み(4098)は、２つの線状又は平らな部分及び２つの湾曲部分を含んでいる。フロントプレート(4054)の背面(4096)にある２つのノッチ(4104)(図９Ｃに示しているのは１つだけである)は、湾曲部分のおよそ中心点に位置付けられている。ノッチ(4104)は、ピン(4066)と、該ピン(4066)を可撓性リング(4026)に連結する関連構造とを受け入れる。窪み(4098)は、可撓性リング(4026)より大きく造られており、ノッチ(4104)の間隔は、弛緩状態の時のピン(4066)の間隔より大きい。ノッチ(4104)は、ハウジング(4024)内での可撓性リング(4026)の回転防止に役立ち、回転リング(4028)の回転時に可撓性リング(4026)が拡張することを可能にする。
【００５５】
シリンジアダプタ(700')の連結中は、シリンジアダプタ(700')の後端部(760')は、フロントプレート(4054)の孔又はインターフェース(4096)を通り抜けて、コネクタハウジング(4024)に挿入されている。可撓性リング(4026)は、ピン(4066)がノッチ(4104)に係合するように、フロントプレート(4054)の背面(4096)に形成された窪み(4098)の内部に位置している。それ故に、シリンジアダプタ(700')のリッジ(764')の傾斜面(766')は、可撓性リング(4026)の面取り部(chamfers)に係合し、リッジ(764')は、可撓性リング(4026)を、その弛緩間隔から拡張間隔への方向(4084)に向かって押し開く。
【００５６】
リッジ(764')が可撓性リング(4026)の後方縁から離れた後、可撓性リング(4026)の弾性の性質は、可撓性リング(4026)に、矢印(4084)と反対方向の弛緩状態を取り戻させる。可撓性リング(4026)が、その弛緩状態を取り戻すとき、リッジ(764')の段部(768')は、可撓性リング(4026)の後方縁に係合する。従って、シリンジアダプタ(700')は、可撓性リング(4026)によって所定の位置に保持されており、取外し／連結機構(4010)から軸方向に外されることができない。可撓性リング(4026)が、その弛緩状態を取り戻すとき、シリンジアダプタ(700')がインジェクター(4010)に取り付けられたことをオペレータに知らせるために、聞き取れる「カチッという音(click)」を出すことが望ましい。
【００５７】
図９Ｂ及び９Ｃの実施例における、取外し／連結機構(4010)からのシリンジアダプタ(700')の取外しには、下記の如く、シリンジアダプタ(700')が１／４回転又はおよそ４分の１回転されることが要求される。一旦、シリンジアダプタ(700')が可撓性リング(4026)によって係合されると、突出部(770')は、回転リング(4028)内の溝(4052)に係合する。シリンジアダプタ(700')は、例えば時計と逆回りの方向に、例えばおよそ４分の１回転だけ回されるので、溝(4052)に係合する突出部(770')は、回転リング(4028)も、同一方向におよそ同じ量を回転する。機構(4010)からのシリンジアダプタ(700')の取外しを容易にするために、交互に、任意の適した範囲の回転及び／又は逆の回転方向が利用されることができる。
【００５８】
可撓性リング(4026)の(ベアリング(4070)を具えた)ピン(4066)は、回転リング(4028)上のカム軌道(4072)に係合し、それに沿って摺動するから、リング(4028)の回転は、可撓性リング(4026)を、その弛緩した(即ち、シリンジアダプタが係合された)状態から、拡張した(即ち、シリンジアダプタが離脱された)状態に押し出す。ピン(4066)は、カム軌道(4072)に沿って、最も内側の位置から最も外側の位置に進むとき、可撓性リング(4026)は、弛緩状態から拡張距離の状態まで引き伸ばし、その時点で、可撓性リング(4026)の後方縁は、シリンジアダプタ(700')の段部(768')を離脱する。その結果、シリンジアダプタ(700')は外され、可撓性リング(4026)及び機構(4010)から軸方向に取り外されることができる。シリンジアダプタ(700)が機構(4010)から取り外されるとき、可撓性リング(4026)のスプリング力は、ピン(4066)を、カム軌道(4072)に沿って最も外側の位置から最も内側の位置に進むように押し、それによって、新しいシリンジ又はシリンジアダプタを受け入れるために、可撓性リング(4026)をその弛緩状態に戻す。さらに、シリンジアダプタ(700')が可撓性リング(4026)から外されるとき、オペレータは、シリンジアダプタ(700)がインジェクター(4010)から(及び、それ故にインジェクター(4014)から)離脱されたことを知らせるための、２番目の聞き取れる「カチッという音」を聞くことが望ましい。
【００５９】
シリンジアダプタ(700')の後方部分は、シリンジ(300)の構成についての情報を提供するために、２００１年１月１８日に出願され、本発明の譲受人に譲渡された、米国特許出願第０９／７９６,４９８号に記載されているような、光源及びセンサー(図示せず)と協働可能なインジケータ(790')を含んでおり、該特許出願の開示は、引用を以て本願に組み入れられる。
【００６０】
図１０Ａ乃至１０Ｃは、シリンジインターフェースを含んでいる、本発明のシリンジアダプタの他の実施例(900)を示しており、その中で、摺動保持部材(920)は、その２側面に、複数の内側に突き出た当て部材(930a)及び(930b)を含んでいる。当て部材(930a)及び(930b)は、隣り合った当て部材が移動、蝶着(hinge)、又はお互いに対して相対的に回転できるように、夫々に、ヒンジ機構(932a)及び(932b)によって、隣り合った当て部材に連結している。図１０Ａ乃至１０Ｃの実施例において、ヒンジ(932a)及び(932b)は、プラスチックヒンジの構成について知られているような、幅が比較的細い領域であり得る。さらに、ヒンジ(932a)及び(932b)は夫々に、当て部材(930a)と(930b)との間の狭いギャップであり、可撓性連結部材(940a)及び(940b)は夫々に、当て部材(930a)及び(930b)に連結する。連結部材(940a)及び(940b)は、湾曲した又は弧を描くような溝(950)の中に着座するフランジとして働くことができ、フランジ(940a)(940b)が該溝をスライドして通り抜けるのは、保持部材(920)が、シリンジ(200)の軸にほぼ垂直な平面内で(半径方向に)上下移動するときである。
【００６１】
保持部材(920)は、アダプタ(900)内に形成された通路(924)の中へ下向きにスライドされ、当て部材(930a)及び(930b)は、連結部材(940a)及び(940b)が、湾曲した又は弧を描くような溝(950)を通じてスライドし、図１０Ａ及び１０Ｂに示すように、シリンジ(220)のために環状受け部を形成する際、お互いに対して相対的に回転又は蝶着する。図１０Ａ及び１０Ｂに示すように、保持部材(920)の弧を描くような又はＵ字型の部分(926)は、当て部材(930a)及び(930b)が、シリンジフランジ(220)の円周全体と当接するために、シリンジフランジ(220)の下半分と受け部を形成するときに、シリンジフランジ(220)の上半分と受け部を形成することができる。しかしながら、交互に、Ｕ字型の部分(926)と当て部材(930a)(930b)は、それらが、シリンジフランジ(220)の円周全体より少なく当接するような方式で構成されることができる。
【００６２】
上記で説明したように、アダプタ(900)は、インジェクター(10)のような電動インジェクターに取り付けるためのフランジ(960a)及び(960b)を含んでいる、インジェクター取付機構を具えることができる。上記でも説明したように、他の電動インジェクターに取り付けるための他の種類の取付機構は、アダプタ(900)のシリンジインターフェースに関連して使用されることができる。さらに、本発明のアダプタの他のシリンジインターフェース又は保持機構と同じように、アダプタ(900)のシリンジインターフェースは、電動インジェクターに永久固定されることができる。
【００６３】
図１１は、保持部材の他の実施例であって、保持部材(920)と同様な様式で動作する保持部材(920')を示している。保持部材(920')において、各当て部材(930a')は、ボール及びソケット継手(932a)を介して、隣り合った当て部材(930a')に連結されている。当て部材(930a')の各々は、上記の溝(950)のような湾曲した又は弧を描くような溝に着座している外フランジ(940')を含んでいる。
【００６４】
上記の実施例及び／又は例示に関連して、本発明を詳細に説明してきたが、そのような詳細は、例示的なものであって、限定するものではなく、当該分野の専門家であれば、発明から逸脱することなく変更を行うことができると理解されるべきである。発明の範囲は、前記の説明よりも、添付の請求の範囲によって示唆されている。請求の範囲の相当物の意味及び範疇に入るすべての変更及び変形は、それらの範囲に含まれるものである。
【図面の簡単な説明】
【００６５】
本発明の他の特徴及びそれらの利点は、詳細な説明を添付図面に関連して読むことから認識されるであろう。
【図１】インジェクター及びフロントローディングシリンジを含んでいるインジェクターシステムの実施例の斜視図を示している。
【図２Ａ】図１のインジェクターに使用するためのシリンジ及びアダプタの実施例の斜視図であって、非連結状態であるときのシリンジ及びアダプタを示している。
【図２Ｂ】図２Ａのシリンジ及びシリンジアダプタの斜視図であって、シリンジはシリンジアダプタの中に挿入されている状況を示している。
【図２Ｃ】図２Ａのシリンジ及びシリンジアダプタの斜視図であって、シリンジはシリンジアダプタ内部に固定されている状況を示している。
【図３Ａ】図１のインジェクターに使用するためのシリンジ及びアダプタの別の実施例の斜視図であって、シリンジ及びアダプタは非連結状態である状況を示している。
【図３Ｂ】図３Ａのシリンジ及びシリンジアダプタの斜視図であって、シリンジはシリンジアダプタキャリッジの中に挿入されている状況を示している。
【図３Ｃ】図３Ａのシリンジ及びシリンジアダプタの斜視図であって、シリンジはシリンジ内部で後方に移動されている状況を示している。
【図３Ｄ】図３Ａのシリンジ及びシリンジアダプタの斜視図であって、シリンジアダプタは、シリンジをシリンジアダプタ内部に固定するために回転されている状況を示している。
【図４Ａ】図１のインジェクターに使用するためのシリンジ及びアダプタの別の実施例の斜視図であって、シリンジ及びアダプタは非連結状態である状況を示している。
【図４Ｂ】図４Ａのシリンジ及びシリンジアダプタの斜視図であって、シリンジはシリンジアダプタの中に挿入されている状況を示している。
【図４Ｃ】図４Ｂの状態にある図４Ａのシリンジ及びシリンジアダプタの正面図を示している。
【図４Ｄ】図４Ａのシリンジ及びシリンジアダプタの斜視図であって、アダプタの保持アームがシリンジをアダプタ内部に係合し固定するために、アダプタの前部は、アダプタの後部に対して相対的に回転されている状況を示している。
【図４Ｅ】図４Ｄの状態にある図４Ａのシリンジ及びシリンジアダプタの正面図を示している。
【図４Ｆ】図４Ａのシリンジ及びシリンジアダプタの後部斜視図であって、アダプタの前部は、アダプタの保持アームがシリンジをアダプタ内部に係合し固定するように、アダプタの後部に対して相対的に回転されている状況を示している。
【図５Ａ】図１のインジェクターに使用するためのシリンジ及びアダプタの別の実施例の斜視図であって、シリンジ及びアダプタは非連結状態である状況を示している。
【図５Ｂ】図５Ａのシリンジ及びシリンジアダプタの斜視図であって、シリンジはシリンジアダプタの中に挿入されている状況を示している。
【図５Ｃ】図５Ａのシリンジ及びシリンジアダプタの斜視図であって、シリンジはシリンジアダプタ内部に固定されている状況を示している。
【図６Ａ】図１のインジェクターに使用するためのシリンジ及びアダプタの別の実施例の斜視図であって、シリンジ及びアダプタは非連結状態である状況を示している。
【図６Ｂ】図６Ａのシリンジ及びシリンジアダプタの斜視図であって、シリンジはシリンジアダプタのキャリッジの中に挿入されている状況を示している。
【図６Ｃ】図６Ａのシリンジ及びシリンジアダプタの斜視図であって、シリンジ及びキャリッジは、シリンジアダプタ内部で後方にスライドされている状況を示している。
【図６Ｄ】図６Ａのシリンジ及びシリンジアダプタの斜視図であって、保持部材は、シリンジをシリンジアダプタ内部に固定するために、半径方向内向きにスライドされている状況を示している。
【図７Ａ】図１のインジェクターに使用するためのシリンジ及びアダプタの別の実施例の斜視図であって、シリンジ及びアダプタは非連結状態である状況を示している。
【図７Ｂ】図７Ａのシリンジ及びシリンジアダプタの斜視図であって、シリンジが、シリンジアダプタの枢動する第２保持部材に係合している状況を示している。
【図７Ｃ】図７Ｂの状態にある図７Ａのシリンジ及びシリンジアダプタの側面図であって、アダプタのフェースプレート又は前部が取り外されている状況を示している。
【図７Ｄ】図７Ａのシリンジ及びシリンジアダプタの斜視図であって、シリンジは、第２保持部材によって固定されるように後方へ移動されている状況を示している。
【図７Ｅ】図７Ａのシリンジ及びシリンジアダプタの斜視図であって、摺動保持部材は、シリンジをシリンジアダプタ内部に固定するために、閉位置に置かれている状況を示している。
【図７Ｆ】図７Ａのシリンジ及びシリンジアダプタの一部の斜視図であって、シリンジアダプタのフロントプレート又はハウジング部分は取り外されており、第２保持部材は、開位置に偏倚されている状況を示している。
【図７Ｇ】図７Ｆのアダプタ部分の側面図を示している。
【図８Ａ】図１のインジェクター及びそれのピストンに連結するためのプランジャアダプタを非連結状態で示した斜視図である。
【図８Ｂ】図８Ａのインジェクター及びプランジャアダプタを非連結状態で示した側面図である。
【図８Ｃ】図８Ａのインジェクター及びプランジャアダプタを連結状態で示した側面図である。
【図８Ｄ】図８Ａのインジェクター及びプランジャアダプタと、連結状態の図７Ａのシリンジアダプタとを示している斜視図である。
【図８Ｅ】図８Ａのインジェクター及びプランジャアダプタと、それと連結するために位置合わせしたシリンジと連結状態になっている図７Ａのシリンジアダプタとを示している側面図である。
【図９Ａ】図７Ａのものと同様な、シリンジ及びシリンジアダプタの別の実施例の斜視図であって、シリンジ及びシリンジアダプタは非連結状態であり、シリンジアダプタは、図９Ｂ及び９Ｃのインジェクタへ取外し可能に取り付けるための代替的機構を含んでいる状況を示している。
【図９Ｂ】図９Ａのアダプタと共に使用するためのインジェクタ取外し／連結機構の一実施例の側面図を示している。
【図９Ｃ】図９Ｂの取外し／連結機構の斜視図を示している。
【図１０Ａ】本発明のシリンジアダプタの別の実施例が開いている状態を、正面から見た断面図を示している。
【図１０Ｂ】図１０Ａのシリンジアダプタが閉じている状態を、正面から見た断面図を示している。
【図１０Ｃ】図１０Ａのシリンジアダプタが閉じた状態の垂直断面図を示している。
【図１１】本発明のシリンジアダプタの別の実施例が開いている状態を、正面から見た断面図を示している。
【国際公開パンフレット】
2005504556.tif 000003
2005504556.tif 000004
2005504556.tif 000005
2005504556.tif 000006
2005504556.tif 000007
2005504556.tif 000008
2005504556.tif 000009
2005504556.tif 000010
2005504556.tif 000011
2005504556.tif 000012
2005504556.tif 000013
2005504556.tif 000014
2005504556.tif 000015
2005504556.tif 000016
2005504556.tif 000017
2005504556.tif 000018
2005504556.tif 000019
2005504556.tif 000020
2005504556.tif 000021
2005504556.tif 000022
2005504556.tif 000023
2005504556.tif 000024
2005504556.tif 000025
2005504556.tif 000026
2005504556.tif 000027
2005504556.tif 000028
2005504556.tif 000029
2005504556.tif 000030
2005504556.tif 000031
2005504556.tif 000032
2005504556.tif 000033
2005504556.tif 000034
2005504556.tif 000035
2005504556.tif 000036
2005504556.tif 000037
2005504556.tif 000038
2005504556.tif 000039
2005504556.tif 000040
2005504556.tif 000041
2005504556.tif 000042
2005504556.tif 000043
2005504556.tif 000044
2005504556.tif 000045
2005504556.tif 000046
2005504556.tif 000047
2005504556.tif 000048
2005504556.tif 000049
2005504556.tif 000050
2005504556.tif 000051
2005504556.tif 000052
2005504556.tif 000053
2005504556.tif 000054
2005504556.tif 000055
2005504556.tif 000056
2005504556.tif 000057
【国際公開パンフレット（コレクトバージョン）】
2005504556.tif 000058
2005504556.tif 000059
【国際公開パンフレット（コレクトバージョン）】
2005504556.tif 000060
【国際調査報告】
2005504556.tif 000061
2005504556.tif 000062
2005504556.tif 000063
2005504556.tif 000064